(57)【要約】【課題】視聴者が移動先の記録媒体を予め用意することなく、視聴者の嗜好に合った番組を移動させることが可能な記録再生装置の提供。【解決手段】番組記録部は、ＨＤＤ１及びＨＤＤ２の２つの記録手段を備え、ＨＤＤ１に記録された番組が再生された場合（Ｓ１１：ＹＥＳ）、再生回数を計数し（Ｓ１２）、番組名及び再生回数を記憶する（Ｓ１３）。再生回数が所定回数以上となった場合（Ｓ１４：ＹＥＳ）、ＨＤＤ２の残容量を算出し（Ｓ１５）、再生した番組をＨＤＤ２に移動可能である場合（Ｓ１６：ＹＥＳ）、当該番組をＨＤＤ１からＨＤＤ２へ移動させる（Ｓ１８）。【選択図】図３
2013168887.tif 000002
【特許請求の範囲】
【請求項１】
コンテンツを記録する複数の記録手段と、該記録手段に記録したコンテンツを再生する再生手段とを備え、外部から取得したコンテンツを前記複数の記録手段のうちの一の記録手段に記録する記録再生装置において、
前記再生手段により再生したコンテンツに関する情報を記憶する記憶手段と、
前記再生手段によりコンテンツを再生する都度、前記記憶手段に記憶された情報を更新する手段と、
前記記憶手段に記憶されている情報に基づき、前記一の記録手段に記録されているコンテンツを前記一の記録手段から移動させるべきか否かを判断する判断手段と、
該判断手段が移動させるべしと判断した場合、前記コンテンツを前記一の記録手段から他の記録手段へ移動させる手段と
を備えることを特徴とする記録再生装置。
【請求項２】
コンテンツ毎に再生回数を計数する手段を備え、
再生したコンテンツに関する情報として、計数した再生回数を前記記憶手段に記憶するようにしてあり、
前記判断手段は、再生したコンテンツの再生回数の多少に基づき、前記コンテンツを前記一の記録手段から移動させるべきか否かを判断するようにしてあることを特徴とする請求項１に記載の記録再生装置。
【請求項３】
再生すべきコンテンツは、再生対象のデータ及び該データの内容を示す文字情報を含み、
再生したコンテンツに含まれる文字情報から名詞を抽出する手段と、
抽出した名詞の出現回数を計数する手段と
を備え、
再生したコンテンツに関する情報として、抽出した名詞及び該名詞の出現回数を前記記憶手段に記憶するようにしてあり、
前記判断手段は、前記一の記録手段に記録されているコンテンツから抽出した名詞と一致する名詞の出現回数の多少に基づき、前記コンテンツを前記一の記録手段から移動させるべきか否かを判断するようにしてあることを特徴とする請求項１又は請求項２に記載の記録再生装置。
【請求項４】
前記他の記録手段は、コンテンツを記録する第１及び第２記録領域を有し、
再生すべきコンテンツは、再生対象のデータ及び該データの内容を示す文字情報を含み、
コンテンツ毎に再生回数を計数する手段と、
再生したコンテンツに含まれる文字情報から名詞を抽出する手段と、
抽出した名詞の出現回数を計数する手段と
を備え、
再生したコンテンツに関する情報として、計数した再生回数、並びに抽出した名詞及び該名詞の出現回数を前記記憶手段に記憶するようにしてあり、
前記判断手段は、再生したコンテンツの再生回数の多少に基づいて該コンテンツを移動させるべきか否かを判断する第１の判断と、前記一の記録手段に記録されているコンテンツから抽出した名詞と一致する名詞の出現回数の多少に基づいて該コンテンツを移動させるべきか否かを判断する第２の判断とを行うようにしてあり、
前記第１の判断により移動させるべしと判断した場合、コンテンツを前記第１記録領域に移動させ、前記第２の判断により移動させるべしと判断した場合、コンテンツを前記第２記録領域に移動させるようにしてあることを特徴とする請求項１に記載の記録再生装置。
【請求項５】
前記他の記録手段の残容量を算出する手段と、
算出した残容量に基づき、コンテンツを前記第１又は第２記録領域に移動させることが可能であるか否かを判断する手段と、
コンテンツを前記第１又は第２記録領域に移動させることができないと判断した場合、前記第２記録領域に記録されたコンテンツの少なくとも一部を消去する手段と
を備えることを特徴とする請求項４に記載の記録再生装置。
【請求項６】
前記第１記録領域に記録されたコンテンツの消去指示を受付ける手段と、
該手段により消去指示を受付けた場合、前記コンテンツを前記第１記録領域から消去する手段と
を備えることを特徴とする請求項４に記載の記録再生装置。
【請求項７】
前記一の記録手段に記録されているコンテンツから抽出した名詞と該コンテンツを識別する識別情報とを対応付けて表示する手段を備えることを特徴とする請求項４から請求項６の何れか１つに記載の記録再生装置。
【発明の詳細な説明】
【技術分野】
【０００１】
本発明は、視聴者の嗜好に応じて記録した番組を退避させる記録再生装置に関する。
【背景技術】
【０００２】
近年、デジタル機器の普及と共にハードディスクレコーダ等の記録再生装置の普及も進んでいる。このような記録再生装置は、従来のＶＴＲよりも、多くの音声データを含む画像データを容易に記録・再生することが可能である。
【０００３】
上述した記録再生装置においては、例えば、放送局またはサーバ等から供給される電子番組情報（EPG: Electronic Program Guide）に基づいて自動記録処理を容易に行うことができる。また、このような記録再生装置には、全放送局から放送される所定期間分の番組を自動録画する機能を有するものが存在する。
【０００４】
記録再生装置が備えるハードディスクドライブ等の記録容量は有限であるため、多数の番組を記録しようとした場合、残容量が不足する場合がある。このため、視聴者自身に番組の消去を求めるか、又は上述したような自動録画機能を備えた記録再生装置においては、録画日時が最も古い番組を自動的に消去することを行っていた。
【先行技術文献】
【特許文献】
【０００５】
【特許文献１】特開２００６−８６６３９号公報
【発明の概要】
【発明が解決しようとする課題】
【０００６】
しかしながら、録画日時が最も古い番組を検索して自動的に消去する構成では、視聴者が視聴していない番組が消去されることが起こり得るため、視聴者の嗜好にあった番組も消去される可能性を有していた。
このような問題点を回避するため、番組に対する視聴者の嗜好の程度を評価し、嗜好の程度が低い番組を消去、移動又は圧縮することにより、記録再生装置内の記録容量を確保する技術が提案されている（例えば、特許文献１を参照）。
【０００７】
しかしながら、特許文献１では、嗜好の程度が低い番組を判定して、消去、移動又は圧縮しているので、自動消去の機能を有する記録再生装置では、依然として、視聴者の嗜好にあった番組が消去される可能性が存在するという問題点を有している。
また、特許文献１では、嗜好の程度が低い番組を移動させる際、着脱可能な光ディスク等の記録媒体やネットワークディスクに移動させることを想定しており、空きディスクを予め用意したり、ネットワークディスクをマウントしたりする視聴者側の作業が必要となるという問題点を有している。
【０００８】
本発明は、斯かる事情に鑑みてなされたものであり、視聴者が移動先の記録媒体を予め用意することなく、視聴者の嗜好に合った番組を移動させることが可能な記録再生装置を提供することを目的とする。
【課題を解決するための手段】
【０００９】
本発明に係る記録再生装置は、コンテンツを記録する複数の記録手段と、該記録手段に記録したコンテンツを再生する再生手段とを備え、外部から取得したコンテンツを前記複数の記録手段のうちの一の記録手段に記録する記録再生装置において、前記再生手段により再生したコンテンツに関する情報を記憶する記憶手段と、前記再生手段によりコンテンツを再生する都度、前記記憶手段に記憶された情報を更新する手段と、前記記憶手段に記憶されている情報に基づき、前記一の記録手段に記録されているコンテンツを前記一の記録手段から移動させるべきか否かを判断する判断手段と、該判断手段が移動させるべしと判断した場合、前記コンテンツを前記一の記録手段から他の記録手段へ移動させる手段とを備えることを特徴とする。
【００１０】
本発明に係る記録再生装置は、コンテンツ毎に再生回数を計数する手段を備え、再生したコンテンツに関する情報として、計数した再生回数を前記記憶手段に記憶するようにしてあり、前記判断手段は、再生したコンテンツの再生回数の多少に基づき、前記コンテンツを前記一の記録手段から移動させるべきか否かを判断するようにしてあることを特徴とする。
【００１１】
本発明に係る記録再生装置は、再生すべきコンテンツは、再生対象のデータ及び該データの内容を示す文字情報を含み、再生したコンテンツに含まれる文字情報から名詞を抽出する手段と、抽出した名詞の出現回数を計数する手段とを備え、再生したコンテンツに関する情報として、抽出した名詞及び該名詞の出現回数を前記記憶手段に記憶するようにしてあり、前記判断手段は、前記一の記録手段に記録されているコンテンツから抽出した名詞と一致する名詞の出現回数の多少に基づき、前記コンテンツを前記一の記録手段から移動させるべきか否かを判断するようにしてあることを特徴とする。
【００１２】
本発明に係る記録再生装置は、前記他の記録手段は、コンテンツを記録する第１及び第２記録領域を有し、再生すべきコンテンツは、再生対象のデータ及び該データの内容を示す文字情報を含み、コンテンツ毎に再生回数を計数する手段と、再生したコンテンツに含まれる文字情報から名詞を抽出する手段と、抽出した名詞の出現回数を計数する手段とを備え、再生したコンテンツに関する情報として、計数した再生回数、並びに抽出した名詞及び該名詞の出現回数を前記記憶手段に記憶するようにしてあり、前記判断手段は、再生したコンテンツの再生回数の多少に基づいて該コンテンツを移動させるべきか否かを判断する第１の判断と、前記一の記録手段に記録されているコンテンツから抽出した名詞と一致する名詞の出現回数の多少に基づいて該コンテンツを移動させるべきか否かを判断する第２の判断とを行うようにしてあり、前記第１の判断により移動させるべしと判断した場合、コンテンツを前記第１記録領域に移動させ、前記第２の判断により移動させるべしと判断した場合、コンテンツを前記第２記録領域に移動させるようにしてあることを特徴とする。
【００１３】
本発明に係る記録再生装置は、前記他の記録手段の残容量を算出する手段と、算出した残容量に基づき、コンテンツを前記第１又は第２記録領域に移動させることが可能であるか否かを判断する手段と、コンテンツを前記第１又は第２記録領域に移動させることができないと判断した場合、前記第２記録領域に記録されたコンテンツの少なくとも一部を消去する手段とを備えることを特徴とする。
【００１４】
本発明に係る記録再生装置は、前記第１記録領域に記録されたコンテンツの消去指示を受付ける手段と、該手段により消去指示を受付けた場合、前記コンテンツを前記第１記録領域から消去する手段とを備えることを特徴とする。
【００１５】
本発明に係る記録再生装置は、前記一の記録手段に記録されているコンテンツから抽出した名詞と該コンテンツを識別する識別情報とを対応付けて表示する手段を備えることを特徴とする。
【００１６】
本発明では、コンテンツの再生回数、又はコンテンツの内容を示す情報から抽出した名詞の出現頻度に基づいて、一の記録手段に記録されたコンテンツを他の記録手段に移動させるべきか否かを判断する。すなわち、本発明の記録再生装置は、一の記録手段に記録されたコンテンツのうち、視聴者の嗜好に合ったコンテンツを抽出して、当該コンテンツを記録再生装置内の他の記録手段に移動させる。
【００１７】
また、本発明では、コンテンツの再生回数に基づき、視聴者の嗜好に合ったコンテンツであると判断した場合には、記録手段内の第１記録領域に移動させ、コンテンツの内容を示す情報から抽出した名詞の出現頻度に基づき、視聴者の嗜好に合ったコンテンツであると判断した場合には、記録手段内の第２記録領域に移動させる。
第１記録領域に記録したコンテンツについては、視聴者からの消去指示を受付けた場合のみ消去する構成とし、第２記録領域に記録したコンテンツについては、他の記録手段の残容量が不足する場合に消去する構成としている。
【００１８】
また、各コンテンツと、各コンテンツから抽出した名詞とを対応付けて表示する構成を備えるため、視聴者によるコンテンツの把握が容易となる。
【発明の効果】
【００１９】
本発明によれば、コンテンツの再生回数、又はコンテンツの内容を示す情報から抽出した名詞の出現頻度に基づいて、一の記録手段に記録されたコンテンツのうち、視聴者の嗜好に合ったコンテンツを抽出し、当該コンテンツを記録再生装置内の他の記録手段に移動させることができる。
【００２０】
また、本発明によれば、記録再生装置が備える複数の記録手段のうち、外部から取得したコンテンツを一の記録手段に記録し、視聴者の嗜好にあったコンテンツを他の記録手段に移動させる構成としているので、視聴者自身が光ディスクなどの記録媒体をセットしたり、ネットワークディスクをネットワーク上にマウントしたりする必要がなくなるので、視聴者による作業負担を軽減することができる。
【００２１】
また、新たに取得したコンテンツにより既存のコンテンツを上書きする可能性を減らすことができるので、視聴者の嗜好に合ったコンテンツの見逃しを回避することができる。
【００２２】
また、本発明によれば、コンテンツの再生回数に基づき、視聴者の嗜好に合ったコンテンツであると判断した場合には、記録手段内の第１記録領域に移動させ、コンテンツの内容を示す情報から抽出した名詞の出現頻度に基づき、視聴者の嗜好に合ったコンテンツであると判断した場合には、記録手段内の第２記録領域に移動させる。
第１記録領域に記録したコンテンツについては、視聴者からの消去指示を受付けた場合のみ消去し、第２記録領域に記録したコンテンツについては、他の記録手段の残容量が不足する場合に消去するため、視聴者が継続的に視聴する可能性が高いコンテンツをより長く保持することが可能となる。
【図面の簡単な説明】
【００２３】
【図１】本実施の形態に係る記録再生装置の内部構造を示すブロック図である。
【図２】実施の形態１に係る記録再生装置における評価部の構成を示すブロック図である。
【図３】実施の形態１に係る記録再生装置が実行する処理の手順を説明するフローチャートである。
【図４】実施の形態２に係る記録再生装置における評価部の構成を示すブロック図である。
【図５】評価部が実行する集計処理の手順を説明するフローチャートである。
【図６】実施の形態２に係る記録再生装置が実行する処理の手順を説明するフローチャートである。
【図７】実施の形態３に係る番組記録部の構成を示す模式図である。
【図８】実施の形態３に係る記録再生装置が実行する処理の手順を説明するフローチャートである。
【発明を実施するための形態】
【００２４】
以下、本発明をその実施の形態を示す図面に基づいて具体的に説明する。
実施の形態１．
図１は本実施の形態に係る記録再生装置の内部構造を示すブロック図である。本実施の形態に係る記録再生装置は、例えば、テレビジョン放送番組などのコンテンツをハードディスクに記録する録画機能、及びハードディスクに記録されたコンテンツを再生する再生機能を備えたハードディスクレコーダである。記録再生装置は、このようなハードディスクを利用した録画再生機能の他、ＤＶＤ（Digital Versatile Disc）、ＢＤ（Blu-ray Disc）等の光ディスクに記録されたコンテンツを再生する機能、外部から取得したコンテンツをＤＶＤメディア、ＢＤメディア等の光ディスクに記録する機能等を更に備えるものであってもよい。
【００２５】
記録再生装置は、図１に示すように、受信部１１、番組情報記憶部１２、番組予約部１３、中央処理部１４、録画制御部１５、番組記録部１６、再生制御部１７、再生処理部１８、映像出力部１８ａ、音声出力部１８ｂ、及びユーザインタフェース３０を備える。
【００２６】
受信部１１は、図に示していないアンテナを通じてテレビジョン放送信号を受信し、受信したテレビジョン放送信号をデコードすることによって、コンテンツであるテレビジョン放送番組（以下、単に番組という）、及び当該番組の番組情報を取得する。番組情報は、ＥＰＧデータ、メタデータ等であり、番組情報には、番組の放送時間、放送局、番組内容を紹介する文字情報等が含まれるものとする。
【００２７】
番組情報記憶部１２は、受信部１１から番組情報を取得し、取得した番組情報を記憶する。
番組予約部１３は、番組記録部１６に記録させるべき番組を予約するための処理部であり、視聴者が所望する番組の選択（番組の放送局及び放送予定時間）を受付ける。また、本実施の形態に係る記録再生装置は、所定期間（又は所定時間帯）に放送される複数の番組を逐次的に記録する機能を併せ持ち、視聴者が所望する期間（又は時間帯）及び放送局の選択を受付けるようにしている。番組予約部１３は、記録すべき番組の放送予定時間に近づいた場合、その旨の情報を中央処理部１４に通知する。
【００２８】
中央処理部１４は、記録再生装置が備えるハードウェア各部の動作を制御することにより、装置全体を本実施の形態に係る記録再生装置として機能させる。中央処理部１４が実行する制御には、受信部１１にてデコードした番組を番組記録部１６に記録させる録画制御部１５による録画制御、番組記録部１６に記録した番組を再生する再生制御部１７による再生制御等が含まれる。
【００２９】
ユーザインタフェース３０は、視聴者による操作を受付ける操作部、視聴者に報知すべき情報を文字又は画像により表示する表示部として機能するように構成されている。例えば、ユーザインタフェース３０を通じて番組の再生指示が与えられた場合、ユーザインタフェース３０は、その旨を中央処理部１４に通知する。中央処理部１４は、ユーザインタフェース３０からの通知に応じて再生制御部１７を制御し、視聴者が所望する番組を番組記録部１６から読み出し、当該番組を再生処理部１８へ出力する。
【００３０】
再生処理部１８は、再生すべき番組を取得した場合、当該番組を映像信号及び音声信号に分離し、それぞれ映像出力部１８ａ及び音声出力部１８ｂを通じて外部へ出力する。映像出力部１８ａ及び音声出力部１８ｂを通じて出力された映像信号及び音声信号は、図に示していないモニタ装置、テレビジョン受信装置等に入力され、これらの装置にて映像及び音声が再生される。
【００３１】
本実施の形態に係る記録再生装置の番組記録部１６は、２つのハードディスクドライブを備える。本実施の形態において、第１の記録手段である一方のハードディスクドライブ（ＨＤＤ１）は、受信部１１を通じて取得した番組を逐次記録する受信番組記録部１６１として機能し、第２の記録手段である他方のハードディスクドライブ（ＨＤＤ２）は、視聴者の嗜好の度合いが高いと評価された番組（嗜好番組）を記録する嗜好番組記録部１６２として機能するように構成されている。
なお、記録再生装置は、録画予約時に受信番組記録部１６１の残容量を算出し、録画予約された番組を新たに記録することが可能であるか否かを判断する。残容量の不足により録画予約した番組を記録することができない場合、記録再生装置は、受信番組記録部１６１に既に記録されている番組の一部を消去し、残容量の確保を行う。
【００３２】
記録再生装置は、再生した番組に対する視聴者の嗜好の度合いを評価するために、評価部２０を備える。実施の形態１では、評価部２０にて、番組毎の再生回数を計数し、計数した再生回数が所定回数（例えば、３回）以上となった番組を嗜好の度合いが高い番組として評価する。
【００３３】
図２は実施の形態１に係る記録再生装置における評価部２０の構成を示すブロック図である。評価部２０は、計数部２０１、再生回数記憶部２０２及び判断部２０３を備える。計数部２０１は、番組記録部１６に記録された番組（特に、受信番組記録部１６１に記録された番組）の再生回数を計数する。再生回数記憶部２０２は、計数部２０１が計数した再生回数を番組毎に記憶し、番組が再生される都度、当該番組の再生回数を更新する。判断部２０３は、番組の再生回数を所定回数と比較することにより視聴者の嗜好の度合いを評価し、受信番組記録部１６１（ＨＤＤ１）に記録された番組を嗜好番組記録部１６２（ＨＤＤ２）に移動させるべきか否かを判断する。
【００３４】
図３は実施の形態１に係る記録再生装置が実行する処理の手順を説明するフローチャートである。記録再生装置の評価部２０は、受信番組記録部１６１（ＨＤＤ１）に記録された番組が再生されたか否かを判断する（ステップＳ１１）。番組が再生されたと判断した場合（Ｓ１１：ＹＥＳ）、評価部２０は、その番組の再生回数を計数部２０１により計数し（ステップＳ１２）、計数した再生回数を番組の識別情報（番組名）に対応付けて再生回数記憶部２０２に記憶させる（ステップＳ１３）。
受信番組記録部１６１に記録された番組が再生されていない場合（Ｓ１１：ＮＯ）、記録再生装置は、本フローチャートによる処理を終了する。
【００３５】
次いで、評価部２０は、再生回数が所定回数（例えば、３回）以上であるか否かを判断部２０３にて判断し（ステップＳ１４）、所定回数以上であると判断した場合（Ｓ１４：ＹＥＳ）、当該番組が嗜好の度合いが高い番組であると評価し、その旨を中央処理部１４に通知する。
再生回数が所定回数未満の場合には（Ｓ１４：ＮＯ）、記録再生装置は、本フローチャートによる処理を終了する。
【００３６】
評価部２０からの通知を受信した中央処理部１４は、嗜好番組記録部１６２（ＨＤＤ２）の残容量を算出する（ステップＳ１５）。
中央処理部１４は、算出した嗜好番組記録部１６２の残容量に基づき、再生回数が所定回数に達した番組を嗜好番組記録部１６２に移動させることが可能であるか否かを判断する（ステップＳ１６）。このとき、対象の番組の記録容量と算出した残容量とを比較し、残容量が番組の記録容量より大きい場合、移動させることが可能と判断し、残容量が番組の記録容量より小さい場合、移動させることが不能と判断する。
【００３７】
再生回数が所定回数に達した番組を嗜好番組記録部１６２に移動させることができないと判断した場合（Ｓ１６：ＮＯ）、中央処理部１４は、録画制御部１５を通じて番組記録部１６を制御し、嗜好番組記録部１６２に既に記録されている番組の一部を消去する（ステップＳ１７）。例えば、中央処理部１４は、放送日時（又は録画日時）が最も古い番組を嗜好番組記録部１６２に記録された番組から検索し、該当する番組を嗜好番組記録部１６２から消去する。また、嗜好番組記録部１６２に記録されている番組のうち、最も再生回数が少ない番組を検索し、該当する番組を嗜好番組記録部１６２から消去する構成としてもよい。
嗜好番組記録部１６２に既に記録されている番組の一部を消去した後、中央処理部１４は、処理をステップＳ１６へ戻す。
【００３８】
ステップＳ１６において、再生回数が所定回数に達した番組を嗜好番組記録部１６２に移動させることができると判断した場合（Ｓ１６：ＹＥＳ）、中央処理部１４は、録画制御部１５を通じて番組記録部１６を制御し、再生回数が所定回数に達した番組を受信番組記録部１６１から嗜好番組記録部１６２に移動させる（ステップＳ１８）。
【００３９】
以上のように、実施の形態１では、受信番組記録部１６１に記録された番組のうち、視聴者によって再生された回数が多いものを嗜好番組と評価して、当該番組を嗜好番組記録部１６２に移動させる。これにより、嗜好番組は、番組記録部１６の残容量不足に伴う自動消去の対象から除外され、視聴者が好んで視聴する番組を退避させることが可能となる。
【００４０】
なお、本実施の形態では、再生回数が多いものを嗜好番組と評価する構成について説明したが、各番組の時間長に対する再生時間の比率を算出し、算出した比率が高いものを嗜好番組として評価する構成としてもよい。
【００４１】
実施の形態２．
実施の形態１では、受信番組記録部１６１に記録された番組のうち、視聴者によって再生された回数が多いものを嗜好番組と評価し、当該番組を嗜好番組記録部１６２に移動させる構成について説明したが、再生された番組の番組情報から名詞を抽出し、抽出した名詞の出現回数を利用して嗜好番組を評価する構成としてもよい。
実施の形態２では、番組情報から抽出される名詞の出現回数を集計し、集計結果に基づいて嗜好番組を評価する構成について説明する。なお、実施の形態２に係る記録再生装置の全体構成は、実施の形態１のものと全く同様であるため、その説明を省略することとする。
【００４２】
図４は実施の形態２に係る記録再生装置における評価部２０の構成を示すブロック図である。評価部２０は、抽出部２１１、集計部２１２、出現回数記憶部２１３、及び判断部２１４を備える。抽出部２１１は、再生された番組の番組情報から名詞を抽出する。抽出部２１１は、例えば、放送局名、番組名に含まれる名詞、出演者名等を番組情報から抽出する。抽出部２１１は、番組情報に含まれる特定の情報（例えば、番組名）のみから名詞を抽出する構成としてもよく、番組情報に含まれる全ての情報から名詞を抽出する構成としてもよい。なお、抽出部２１１が抽出する名詞の数は１つに限らず、複数であってもよい。
【００４３】
集計部２１２は、抽出した名詞の出現回数を集計し、集計した名詞の出現回数を出現回数記憶部２１３に記憶する。集計部２１２は、番組記録部１６（本実施の形態では、受信番組記録部１６１及び嗜好番組記録部１６２の双方）に記録された番組が視聴される都度、出現回数記憶部２１３に記憶した出現回数を更新する。
判断部２１４は、名詞の出現回数に基づいて視聴者の嗜好の度合い（視聴傾向）を評価し、受信番組記録部１６１に記録された番組を嗜好番組記録部１６２に移動させるべきか否かを判断する。
【００４４】
図５は評価部２０が実行する集計処理の手順を説明するフローチャートである。評価部２０は、番組記録部１６内の受信番組記録部１６１（ＨＤＤ１）又は嗜好番組記録部１６２（ＨＤＤ２）に記録された番組が再生されたか否かを判断する（ステップＳ２１）。番組が再生されたと判断した場合（Ｓ２１：ＹＥＳ）、評価部２０は、再生された番組の番組情報を番組情報記憶部１２から取得する（ステップＳ２２）。
番組が再生されていないと判断した場合（Ｓ２１：ＮＯ）、本フローチャートによる処理を終了する。
【００４５】
次いで、評価部２０内の抽出部２１１は、取得した番組情報から名詞を抽出する（ステップＳ２３）。このとき、抽出部２１１は、番組情報に含まれる全ての情報から１又は複数の名詞を抽出する構成としてもよく、番組情報に含まれる特定の情報（例えば、番組名）のみから１又は複数の名詞を抽出する構成としてもよい。
【００４６】
次いで、評価部２０内の集計部２１２は、出現回数記憶部２１３に出現回数が記憶されている名詞を参照し、ステップＳ２３で抽出した名詞と一致する名詞が存在するか否かを判断する（ステップＳ２４）。
抽出した名詞と一致する名詞が出現回数記憶部２１３に既に記憶されている場合（Ｓ２４：ＹＥＳ）、集計部２１２は、その名詞に対する出現回数を１だけインクリメントする（ステップＳ２５）。一方、抽出した名詞と一致する名詞が出現回数記憶部２１３に記憶されていない場合（Ｓ２４：ＮＯ）、集計部２１２は、新たに抽出した名詞及びその名詞の出現回数（＝１回）を出現回数記憶部２１３に記憶する（ステップＳ２６）。
【００４７】
次いで、評価部２０内の判断部２１４は、出現回数が上位の名詞を嗜好情報として記憶する（ステップＳ２７）。本実施の形態では、例えば、出現回数が上位１０位までの名詞を嗜好情報として記憶する。
【００４８】
次に、評価部２０による集計結果に基づき、受信番組記録部１６１内に記憶された番組を嗜好番組記録部１６２に移動させる際の処理について説明する。
図６は実施の形態２に係る記録再生装置が実行する処理の手順を説明するフローチャートである。受信番組記録部１６１（ＨＤＤ１）に新たに番組が記録された場合、評価部２０は、その番組の番組情報を番組情報記憶部１２から取得する（ステップＳ３１）。
評価部２０内の抽出部２１１は、取得した番組情報から名詞を抽出し（ステップＳ３２）、抽出した名詞を判断部２１４に通知する。判断部２１４は、抽出部２１１から通知された名詞を、嗜好情報として記憶してある名詞から検索し、抽出部２１１によって抽出された名詞が嗜好情報に一致するか否かを判断する（ステップＳ３３）。
嗜好情報に一致しないと判断した場合（Ｓ３３：ＮＯ）、後述するステップＳ３８以降の処理を実行する。
【００４９】
嗜好情報に一致すると判断した場合（Ｓ３３：ＹＥＳ）、評価部２０は、判断対象の番組を視聴者の嗜好の度合いが高い番組と評価し、その旨を中央処理部１４に通知する。
中央処理部１４は、評価部２０からの通知を受信した場合、録画制御部１５を制御して番組記録部１６内の嗜好番組記録部１６２（ＨＤＤ２）の残容量を算出する（ステップＳ３４）。中央処理部１４は、嗜好の度合いが高いと評価された番組の容量と、算出した嗜好番組記録部１６２の残容量とを比較し、当該番組を嗜好番組記録部１６２へ移動させることが可能か否かを判断する（ステップＳ３５）。
【００５０】
移動させることができないと判断した場合（Ｓ３５：ＮＯ）、中央処理部１４は、録画制御部１５を通じて番組記録部１６を制御し、嗜好番組記録部１６２に既に記録されている番組の一部を消去する（ステップＳ３６）。例えば、中央処理部１４は、放送日時（又は録画日時）が最も古い番組を嗜好番組記録部１６２に記録された番組から検索し、該当する番組を嗜好番組記録部１６２から消去する。また、実施の形態１と同様に、嗜好番組記録部１６２に記録されている番組の再生回数を記憶しておき、最も再生回数が少ない番組を嗜好番組記録部１６２から消去する構成としてもよい。
嗜好番組記録部１６２に既に記録されている番組の一部を消去した後、中央処理部１４は、処理をステップＳ３５へ戻す。
【００５１】
ステップＳ３５において、嗜好の度合いが高いと評価された番組を嗜好番組記録部１６２に移動させることができると判断した場合（Ｓ３５：ＹＥＳ）、中央処理部１４は、録画制御部１５を通じて番組記録部１６を制御し、当該番組を受信番組記録部１６１から嗜好番組記録部１６２に移動させる（ステップＳ３７）。
【００５２】
次いで、中央処理部１４は、番組予約部１３を参照し、待機中の録画予約が存在するか否かを判断する（ステップＳ３８）。待機中の録画予約が存在しない場合には（Ｓ３８：ＮＯ）、本フローチャートによる処理を終了する。
一方、待機中の録画予約が存在する場合には（Ｓ３８：ＹＥＳ）、中央処理部１４は、録画制御部１５を制御して番組記録部１６内の受信番組記録部１６１（ＨＤＤ１）の残容量を算出する（ステップＳ３９）。
【００５３】
次いで、中央処理部１４は、録画予約されている番組を記録するために必要な容量が、受信番組記録部１６１に確保されているか否かを判断する（ステップＳ４０）。
容量が確保されていない場合には（Ｓ４０：ＮＯ）、中央処理部１４は、録画制御部１５を通じて番組記録部１６を制御し、受信番組記録部１６１に既に記録されている番組の一部を消去する（ステップＳ４１）。例えば、中央処理部１４は、放送日時（又は録画日時）が最も古い番組を受信番組記録部１６１に記録された番組から検索し、該当する番組を受信番組記録部１６１から消去する。
一方、録画予約されている番組を記録するために必要な容量が、受信番組記録部１６１に確保されている場合（Ｓ４０：ＹＥＳ）、本フローチャートによる処理を終了する。
【００５４】
以上のように、実施の形態２では、受信番組記録部１６１に記録された番組のうち、嗜好情報に一致する名詞を含んだ番組情報を持つ番組を嗜好番組と評価して、当該番組を嗜好番組記録部１６２に移動させる。これにより、嗜好番組は、番組記録部１６の残容量不足に伴う自動消去の対象から除外され、視聴者が好んで視聴する番組を退避させることにより、視聴者による番組の見逃しを軽減することができる。
【００５５】
なお、本実施の形態では、名詞の出現回数を出現回数記憶部２１３に記憶する構成としたが、抽出した名詞と抽出元の番組を識別する識別情報（例えば、番組名）とを対応付けて記憶しておき、再生する番組の選択をユーザインタフェース３０を通じて受付ける際に、番組名と共に抽出した名詞を表示する構成としてもよい。
また、嗜好情報として含まれる名詞（すなわち、出現回数が上位１０位までの名詞）、及び当該名詞を番組情報に有する１又は複数の番組名をユーザインタフェース３０に表示し、番組名に対する選択を受付けることにより、嗜好番組に対する再生指示を受付ける構成としてもよい。
【００５６】
実施の形態３．
実施の形態１では、再生回数が多い番組を嗜好番組記録部１６２へ移動させ、実施の形態２では、嗜好情報に一致する名詞を含んだ番組情報を持つ番組を嗜好番組記録部１６２に移動させる構成としたが、それぞれを嗜好番組記録部１６２内の異なる記録領域に移動させる構成としてもよい。
実施の形態３では、再生回数により嗜好番組と評価された番組と、番組情報に基づき嗜好番組と評価された番組とを、それぞれ嗜好番組記録部１６２内の異なる記録領域に移動させる構成について説明する。
【００５７】
図７は実施の形態３に係る番組記録部１６の構成を示す模式図である。番組記録部１６は、実施の形態１及び２と同様に、２つのハードディスクドライブを備える。一方のハードディスクドライブ（ＨＤＤ１）は第１の記録手段であり、受信部１１を通じて取得した番組を逐次記録する受信番組記録部１６１として機能し、他方のハードディスクドライブ（ＨＤＤ２）は第２の記録手段であり、視聴者の嗜好の度合いが高いと評価された番組（嗜好番組）を記録する嗜好番組記録部１６２として機能するように構成されている。
【００５８】
実施の形態３では、嗜好番組記録部１６２は、再生回数により嗜好番組と評価された番組を記録する第１記録領域１６２ａ、及び番組情報に基づいて嗜好番組と評価された番組を記録する第２記録領域１６２ｂを備える。
【００５９】
図８は実施の形態３に係る記録再生装置が実行する処理の手順を説明するフローチャートである。中央処理部１４は、移動させるべき嗜好番組が存在する否かを判断する（ステップＳ５１）。なお、嗜好番組の存否は、実施の形態１で説明した再生回数よる評価、及び実施の形態２で説明した番組情報に基づく評価に基づいて判断する。
移動させるべき嗜好番組が存在しないと判断した場合（Ｓ５１：ＮＯ）、中央処理部１４は、嗜好番組が得られるまで待機する。
【００６０】
移動させるべき嗜好番組が存在すると判断した場合（Ｓ５１：ＹＥＳ）、中央処理部１４は、嗜好番組記録部１６２（ＨＤＤ２）の残容量を算出する（ステップＳ５２）。
中央処理部１４は、算出した嗜好番組記録部１６２の残容量に基づき、嗜好番組を嗜好番組記録部１６２に移動させることが可能であるか否かを判断する（ステップＳ５３）。このとき、嗜好番組の記録容量と算出した残容量とを比較し、残容量が番組の記録容量より大きい場合、移動させることが可能と判断し、残容量が番組の記録容量より小さい場合、移動させることが不能と判断する。
【００６１】
嗜好番組を移動せることができないと判断した場合（Ｓ５３：ＮＯ）、中央処理部１４は、ユーザインタフェース３０を通じて第１記録領域１６２ａ又は第２記録領域１６２ｂに記録された嗜好番組の消去指示を受付けたか否かを判断する（ステップＳ５４）。消去指示を受付けた場合（Ｓ５４：ＹＥＳ）、中央処理部１４は、録画制御部１５を通じて番組記録部１６を制御し、指示された番組の消去を行う（ステップＳ５５）。
【００６２】
一方、消去指示を受付けていない場合（Ｓ５４：ＮＯ）、中央処理部１４は、録画制御部１５を通じて番組記録部１６を制御し、嗜好番組記録部１６２内の第２記録領域１６２ｂに記録されている番組の一部を消去する（ステップＳ５６）。例えば、中央処理部１４は、放送日時（又は録画日時）が最も古い番組を嗜好番組記録部１６２に記録された番組から検索し、該当する番組を嗜好番組記録部１６２から消去する。実施の形態３では、嗜好番組記録部１６２内に記録された番組のうち、第２記録領域１６２ｂに記録された番組のみを自動消去の対象とし、第１記録領域１６２ａに記録された番組については自動消去の対象から除外している。これにより、視聴者が視聴する可能性が高い番組が自動的に消去されることを回避することが可能となる。
嗜好番組記録部１６２内の番組を消去した後、中央処理部１４は、処理をステップＳ５３へ戻す。
【００６３】
嗜好番組を移動させることができると判断した場合（Ｓ５３：ＹＥＳ）、中央処理部１４は、対象の嗜好番組が、再生回数により嗜好の度合いが高いと評価された番組であるか否かを判断する（ステップＳ５７）。
【００６４】
再生回数により嗜好の度合いが高いと評価された番組であると判断した場合（Ｓ５７：ＹＥＳ）、中央処理部１４は、録画制御部１５を通じて番組記録部１６を制御することにより、当該嗜好番組を嗜好番組記録部１６２内の第１記録領域１６２ａへ移動させる（ステップＳ５８）。
一方、再生回数により嗜好の度合いが高いと評価された番組でないと判断した場合（Ｓ５７：ＮＯ）、すなわち、番組情報に基づいて嗜好の度合いが高いと評価された番組と判断した場合、中央処理部１４は、録画制御部１５を通じて番組記録部１６を制御することにより、当該嗜好番組を嗜好番組記録部１６２内の第２記録領域１６２ｂへ移動させる（ステップＳ５９）。
【００６５】
以上のように、実施の形態３では、嗜好の度合いが高いと評価された番組を、受信番組記録部１６１から嗜好番組記録部１６２へ退避させることにより、評価が高い番組を他の番組（評価が低い番組）より長く保持することが可能となり、視聴者による番組の見逃しを軽減することができる。また、実施の形態３では、再生回数により嗜好の度合いが高いと評価された番組、及び番組情報に基づいて嗜好の度合いが高いと評価された番組を、それぞれ異なる記録領域に記録し、再生回数により評価された番組については、消去指示が与えられない限り消去せずに保持しているため、これらの番組が自動的に消去されることを回避することができる。
【００６６】
なお、実施の形態１〜３では、番組記録部１６が２つのハードディスクドライブを備え、一方のハードディスクドライブ（ＨＤＤ１）を受信番組記録部１６１、他方のハードディスクドライブ（ＨＤＤ２）を嗜好番組記録部１６２としたが、１つのハードディスクドライブ内に複数の記録領域（例えば、パーティションやフォルダ）を設け、そのうちの１つの記録領域を受信番組記録部１６１として利用し、他の記録領域を嗜好番組記録部１６２として利用する構成としてもよい。
【００６７】
また、実施の形態１〜３では、番組記録部１６としてハードディスクドライブを用いる構成について説明したが、不揮発性かつ書き込み可能な記録媒体であれば、ハードディスクドライブに限らず利用可能であることは勿論のことである。
【００６８】
なお、実施の形態１〜３では、記録再生装置が再生すべきコンテンツとして、テレビジョン放送信号をデコードして得られる放送番組としたが、映像データを持たない音楽データであってもよい。この場合、記録再生装置は、上述したような映像再生機能を有したハードディスクレコーダ等である必要はなく、音楽プレーヤであってもよい。
【符号の説明】
【００６９】
１１  受信部
１２  番組情報記憶部
１３  番組予約部
１４  中央処理部
１５  録画制御部
１６  番組記録部
１７  再生制御部
１８  再生処理部
１８ａ  映像出力部
１８ｂ  音声出力部
２０  評価部
３０  ユーザインタフェース
１６１  受信番組記録部
１６２  嗜好番組記録部
【図１】
2013168887.tif 000003
【図２】
2013168887.tif 000004
【図３】
2013168887.tif 000005
【図４】
2013168887.tif 000006
【図５】
2013168887.tif 000007
【図６】
2013168887.tif 000008
【図７】
2013168887.tif 000009
【図８】
2013168887.tif 000010